(57)【要約】【課題】  ボアホールの集合体、こうした集合体のボアホール内に水を注入するための機器、および亀裂の閉塞を試験する方法を提供する。【解決手段】  亀裂Ｆが貫通して延在する岩石Ｍ中に穿孔された一群のボアホールにおいて、注入水を収容する機能を果たす水注入用主ボアホール（１）であって、亀裂を相互接続する主ボアホールと、少なくとも１個の亀裂Ｆを介して主ボアホールに接続された水を回収するための少なくとも１個の周囲ボアホール（２）であって、主ボアホール内に注入されて、亀裂Ｆを通って周囲ボアホールに達する水を回収するための周囲ボアホールとを含む。【選択図】図２
2005127131.tif 000002
【特許請求の範囲】
【請求項１】
亀裂Ｆが貫通して延在する岩石中に穿孔されたボアホールの集合体において、
−  注入水を収容する機能を果たす水注入用主ボアホールであって、亀裂を相互接続する当該主ボアホールと、
−  少なくとも１個の亀裂を介して前記主ボアホールに接続された水を回収するための少なくとも１個の周囲ボアホールであって、前記主ボアホール内に注入されて、前記亀裂を通って前記周囲ボアホールに達する水を回収するための当該周囲ボアホールと
を含むことを特徴とするボアホールの集合体。
【請求項２】
前記主ボアホールの周囲に穿孔された水を回収するための複数の周囲ボアホールを含む請求項１に記載のボアホールの集合体。
【請求項３】
請求項１または２に記載のボアホール集合体のボアホール内に水を注入するための水注入機であって、
−  前記主ボアホールの入口に接続された加圧水注入ラインであって、注入ポンプが設けられている当該水注入ラインと、
−  前記少なくとも１個の周囲ボアホールの入口に接続された、少なくとも１本の水回収ラインと
を含む水注入機。
【請求項４】
前記注入ラインおよび前記回収ラインに、注入圧力および回収圧力を測定するための圧力計が設けられる請求項３に記載の水注入機。
【請求項５】
前記少なくとも１本の回収ラインに、回収された水の流量を測定するための流量計が設けられる請求項３または４に記載の水注入機。
【請求項６】
前記注入ラインおよび前記回収ラインに、加圧水取得デバイスが設けられる請求項３、４または５に記載のボアホールの集合体のボアホール内に水を注入するための水注入機。
【請求項７】
前記少なくとも１本の回収ラインにストップバルブが設けられている請求項３〜６のいずれか一項に記載の水注入機。
【請求項８】
前記注入ラインの前記注入ポンプが、水が閉鎖回路を循環するように、前記回収ラインから来る水を取り出す請求項３〜７のいずれか一項に記載の水注入機。
【請求項９】
前記回収ラインから水を収容する機能を果たす沈殿タンクを備える請求項３〜８のいずれか一項に記載の水注入機。
【請求項１０】
前記沈殿タンクから来る水を供給される曝気槽を備える請求項９に記載の水注入機。
【請求項１１】
前記注入ポンプが、前記曝気槽から水を取り出す請求項１０に記載の水注入機。
【請求項１２】
前記曝気槽に、水の酸素分を濃縮するための手段が設けられる請求項１０または１１に記載の水注入機。
【請求項１３】
水を前記曝気槽に供給するためのブースターラインを備える請求項１０〜１２のいずれか一項に記載の水注入機。
【請求項１４】
水を回収するための複数の周囲ボアホールのそれぞれのボアホールに接続された複数の回収ラインを備える請求項３〜１３のいずれか一項に記載の水注入機。
【請求項１５】
請求項３〜１４のいずれか一項に記載の水注入機に関連する請求項１または２に記載のボアホールの集合体が設けられた岩石内の亀裂の閉塞を試験する方法であって、
第１に、水を前記主ボアホール内に注入する前の最初の段階中、岩石、注入された水、および岩石内に天然に存在する水のそれぞれの特性を決定するステップと、
第２に、水注入段階後に、前記特性を再度決定するステップと
を含む方法。
【請求項１６】
請求項１４に記載の水注入機に関連する請求項１または２に記載のボアホールの集合体が設けられた岩石内の亀裂の閉塞を試験する方法であって、以下のパラメーターの少なくとも１つの変動を監視するステップを含む方法。
−  前記主ボアホール内への注入圧力、
−  前記周囲ボアホール内に回収される流量、
−  前記回収ライン内の圧力、および
−  長期間にわたる水注入段階中または水注入段階後に、システム内を循環する水（水、水中に溶解した気体、細菌分）の物理化学的および生物学的特性
【発明の詳細な説明】
【技術分野】
【０００１】
本発明は、亀裂が貫通して延在する岩石に穿孔されたボアホールの集合体すなわち一群のボアホールに関する。本発明は、こうしたボアホールの集合体（以下、ボアホール群とも称する）内に水を噴射すなわち注入（injection）するための機器にも関する。さらに、本発明は、こうしたボアホール群に水を注入するための水注入機に関連するボアホール群が設けられた岩石の亀裂（crack：クラック）の閉塞すなわち目詰り（clogging）を試験する方法にも関する。
【０００２】
本発明の技術分野は、液体状および気体状の双方又はいずれか一方の流体を収容するための掘削貯蔵空洞の分野である。こうした貯蔵空洞は、特に、液体または気体炭化水素を貯蔵するために使用される。本発明においては、こうした空洞は、詳細には、流体が、流体力学的な閉じ込め原理に基づいて、空洞内に貯蔵された状態を保つ素掘の（unlined：アンラインド）掘削空洞である。したがって、岩石に掘削された空洞は、地下水中に位置するため、空洞から上の水がその高さに応じた圧力を加えるので、流体を、空洞内部に貯蔵された状態に保てる。
【背景技術】
【０００３】
流体力学的閉じ込め効果を有するこうした掘削空洞は、多くの場合、流体を空洞内に貯蔵された状態を確実に保つことを可能にするデバイスに関連づけられる。こうしたデバイスは、「水カーテン」と呼ぶことができる。図１は、掘削空洞Ｃおよび水カーテンを備える従来の貯蔵場所の垂直断面図である。水カーテンは、一般に、掘削空洞Ｃの上、地下水の下に垂直に掘削された主坑道Ｇにより構成される。図１から分かるように、坑道Ｇは、坑道Ｇから空洞および坑道の双方に実質的に垂直に延在するボアホールＢの配列も設けられる。さらに、坑井Ｐは坑道Ｇを地表面Ｓに接続する。空洞Ｃは、地下水の上面Ｎの下に深く位置することがわかる。坑井Ｐを通って坑道Ｇ内およびそのボアホールＢ内に水を注入することにより、空洞Ｃの上に水の層すなわち水カーテンを形成することができる。こうして注入された水は、水カーテンから岩石中の天然の亀裂を貫流して空洞Ｃに達する。水の流れＥは、必然的に空洞の方向に方向付けられる。なぜなら、空洞内部に広がる圧力は、岩石中の地下水の圧力より低いからである。したがって、水カーテンを通して注入される水は、空洞Ｃの壁部に達し、その際、空洞Ｃの底部まで流れ落ちる。空洞内の水の量を、Ｏで示す。空洞内に貯蔵されるのが気体である場合、空洞内部を支配する圧力は、気体が、液相Ｌと調和するのに十分な圧力とする必要がある。この液相の上では、気体は蒸気相（vapor phase）Ｖである。
【０００４】
したがって、水カーテンは、空洞内に貯蔵された流体が岩石中の亀裂から漏出することがないように、流体を空洞内に確実に貯蔵した状態にすることを保証できる。
【０００５】
しかし、経験上、岩石中の亀裂は、水を長期間にわたって水カーテンを通して注入させた後、閉塞すなわち目詰りする、つまり塞がる傾向がある。その結果、長期間では、水カーテンから空洞への水の流量が減少する。したがって、空洞の封止、すなわちより正確には流体力学的閉じ込め効果は、それ以上保証されないか、または完全には保証されない。そのために、空洞内部に貯蔵された流体は、漏出する可能性がある。亀裂が閉塞または塞がる傾向を軽減するため、水カーテンによって注入される水の特性を変えることができる。亀裂のこうした閉塞を、水カーテンによって注入される水の圧力および流量を測定することにより知ることが可能である。ここで留意すべきことは、空洞が、貯蔵されるべき流体で満たされていると、空洞または水カーテンに直接働きかけることは不可能となることである。したがって、現実の問題として、岩石の天然の亀裂では、水がこれら亀裂を通って水カーテンから空洞内に長期間流れてこれら亀裂が閉塞してしまう傾向がある。
【発明の開示】
【発明が解決しようとする課題】
【０００６】
本発明の目的は、水カーテンを掘削空洞に接続している天然の亀裂の閉塞に関連した上記の問題を特定して、天然の亀裂の修復を図ることにある。空洞または水カーテンに行為を起すことは既にできないため、本発明は、貯蔵空洞が掘削されている岩石に生じている天然の亀裂が閉塞する傾向を原位置で試験するようにすることにある。
【課題を解決するための手段】
【０００７】
このため、本発明は、亀裂が貫通して延在する岩石中に穿孔されたボアホールの集合体すなわち一群のボアホールを提供する。この一群のボアホールであるボアホール群が、
−  注入された水の収容に供する水注入用主ボアホールであって、亀裂同士を相互接続する当該主ボアホールと、
−  少なくとも１個の亀裂を経て上述の主ボアホールに接続された水を回収するための少なくとも１個の周囲ボアホールであって、上述の主ボアホール内に注入されて、亀裂を通って周囲ボアホールに達する水を回収するための当該周囲ボアホールと
を備えている。
【０００８】
好ましくは、ボアホール群は、主ボアホール周囲に穿孔された、水を回収するための複数の周囲ボアホールを備えるのがよい。このボアホール群は、岩石中に天然に存在する亀裂の閉塞傾向を試験するための、環境の試料（samples of the environment）を提供する。
【０００９】
本発明は、上述した一群のボアホール内に水を注入するための水注入機を提供する。
−  この水注入機は、主ボアホールの入口に接続され、かつ注入ポンプが設けられている加圧水注入ラインと、
−  少なくとも１個の周囲ボアホールの入口に接続された少なくとも１本の水回収ラインと
を備える。
【００１０】
好ましくは、注入および回収ラインに、注入および回収圧力を測定するための圧力計を設けるのがよい。
【００１１】
また、上述の少なくとも１本の回収ラインに、回収した水の流量を測定するための流量計を設けるのが好適である。
【００１２】
また、注入および回収ラインに、加圧水取得デバイスを設けるのが好適である。
【００１３】
好ましくは、上述の少なくとも１本の回収ラインに、ストップバルブを設けるのがよい。
【００１４】
水注入機のもう１つの態様では、水が閉鎖回路を循環するようにするために、注入ラインのポンプは、回収ラインから来る水を取り出す、すなわち集める。
【００１５】
水を閉鎖回路に循環させることにより、亀裂の閉塞が促進される。したがって、試験時間を短縮することが可能となる。水は、外部から供給されないか、または外部に除去されないため、循環する水は、高度に充填され、ますます充填される。
【００１６】
本発明のもう１つの有利な特徴によると、水注入機は、回収ラインからの水の収容に供する沈殿タンク（setting tank：セッティング・タンク）を備える。
【００１７】
好ましくは、水注入機は、沈殿タンクから来る水が供給される曝気槽を備えているのがよい。
【００１８】
また、好ましくは、注入ポンプは、水を曝気槽から取り出すのがよい。
【００１９】
好ましくは、曝気槽に、水の酸素分を濃縮（enriching：エンリッチング）するための手段を設けるのがよい。
【００２０】
さらに、水注入機は、水を曝気槽に供給するためのブースターラインを備えていてもよい。
【００２１】
沈殿タンクは、沈殿タンクの底部に堆積するあらゆるサイズの沈殿物および粒子を収集することを可能にする。したがって、収集された沈殿物および粒子のタイプを分析することができる。曝気槽には、好ましくは沈殿タンクから堰上を越えて供給される。したがって、曝気槽内に溢れ出る水は、実質的に沈殿物および粒子がない。曝気槽内に存在する水の酸素を濃縮することによって、注入ラインのポンプによりくみ出される水を再度充填することが可能になる。こうして注入用主ボアホール内に注入される酸素は、天然の亀裂を通って流れ、岩石中に存在する特定の元素を酸化させる。こうした酸化は、亀裂の閉塞に影響すると考えられる。この水注入機により、亀裂の閉塞傾向を比較的短時間に、しかも比較的簡単に得られる環境の試料について、試験ができる。さらに、水注入機に必要な手段は、単純で比較的安価な従来の手段である。したがって、掘削貯蔵空洞が掘削されたか、または掘削される岩石中に存在する天然の亀裂の閉塞傾向を比較的短時間で評価することができる。
【発明を実施するための最良の形態】
【００２２】
好ましい実際的な実施態様では、水注入機は、水を回収するための複数の周囲ボアホールそれぞれに接続する複数の回収ラインを含む。ボアホール群の好ましい配置構成は、中心の主ボアホールを穿孔し設け、及び水を回収するための周囲ボアホールを主ボアホールの周囲に配置して設けて、主ボアホールを通って注入される水をできるだけ多く回収する構成である。
【００２３】
また、本発明は、水注入機と関連するボアホール群が設けられている岩石Ｍ中の亀裂（クラック）Ｆの閉塞を試験する方法を提供するものであって、この方法は、第１に、水を主ボアホール内に注入する前の最初の段階中で、岩石、注入された水、および岩石中に天然に存在する水それぞれの特性を決定するステップと、第２に、水注入段階後に、それぞれの特性を再度決定するステップとを含む。
【００２４】
付加的に、または代案として、本発明は、水注入機に関連するボアホール群が設けられている岩石Ｍ中の亀裂Ｆの閉塞を試験する方法であって、以下のパラメーター：
−  主ボアホール内への水の注入圧力と、
−  周囲ボアホール内に回収される水の流量と、
−  回収ライン内の圧力と、
−  長期にわたる水注入段階中またはこの段階後に、システム内を循環する水（水、水中に溶解した気体、細菌分）の物理化学的および生物学的特性
の少なくとも１つの変動を監視するステップを含む。
【００２５】
亀裂の閉塞傾向をできるだけ完全な評価が得られるように、２つの試験方法を合わせて実施するのが好ましい。留意すべきことは、本発明によれば、亀裂の閉塞傾向を原位置で、つまり掘削空洞が掘削されたか、または掘削される岩石中で、直接、試験することを可能にする点にある。これは、実験室における理論上の試験ではない。
【００２６】
以下、図２を参照して本発明の実施態様につき、説明する。この図２は、本発明の一実施態様を説明するための非制限的な構成例を示す図であって、天然の亀裂が貫通して延在する岩石中に穿孔されている一群のボアホールすなわちボアホール群に接続された水注入機を概略的に示す図である。
【００２７】
掘削貯蔵空洞が掘削された岩石の亀裂の閉塞傾向を原位置で試験するには、先ず、複数のボアホールからなる一群のボアホールすなわちボアホール集合体を掘削空洞の岩石に穿孔する。ボアホール群は、空洞を使用し始める前、つまり液体または気体状流体を充填する前に穿孔する。
【００２８】
たとえば、ボアホール群を、水カーテンの坑道の高さレベルの位置に穿孔することができる。ボアホール群は、掘削空洞の高さレベルの位置に穿孔してもよい。ボアホール群は、坑道または空洞にアクセルすることを可能にする坑道または空洞の壁部の高さから、または壁部の高さに、さもなければアクセス坑道の高さに穿孔する。ボアホール群は、水注入用の主ボアホール１と、水を回収するための少なくとも１個の周囲ボアホール２とを含む。好ましくは、実際には、複数の周囲ボアホール２は、主ボアホール１の周囲に穿孔される。図２に示すように、岩石Ｍは、十字交差する亀裂Ｆの全体的な配列を有していて、ある亀裂Ｆは、主ボアホール１を周囲ボアホール２につなげている。したがって、原位置で、および環境の試験の各試料について、比較的小規模ではあるが、水カーテンと掘削空洞との間に延在する条件と同じ条件を再現する。主ボアホール１は、ＺからＷまでの長さに対してＸからＹの直径を有することができる。ボアホールは、穿孔の容易さという点で直線的であることが好ましい。周囲ボアホール２は、好ましくは直線的であり、ｚからｗの長さに対してｘからｙの直径である。周囲ボアホールは、主ボアホールから、ＲｃｍからＳｍだけ、離れている。主ボアホールおよび周囲ボアホールは、平行に延在することができる。しかし、これは本質的なことではない。ボアホールは、坑道または空洞の壁部から穿孔されるため、各ボアホールは、入口、つまり主ボアホール１の入口１１と、周囲ボアホール２の入口２１とを有する。この例では、１個の主ボアホールのみを設けているが、場合によっては、複数の主ボアホールを設けることも可能である。
【００２９】
亀裂Ｆの配列は、岩石Ｍを通過しているため、主ボアホールおよび周囲ボアホールは、亀裂と交差する。したがって、ボアホールは、亀裂Ｆを経て相互に接続される。
【００３０】
本発明では、環境の試験試料をそれぞれ構成するボアホール群は、水注入機と関連して設けられる。この水注入機は、壁部にボアホール群が設けられた坑道内に設置することができる。水注入機は、主ボアホール１の入口１１に接続された水注入ライン１２と、周囲ボアホールの入口２１に接続された水回収ライン２２とを主に備える。実際には、複数の周囲ボアホールが存在するため、対応する複数の水回収ライン２２が、複数の周囲ボアホール２のそれぞれの入口２１に接続される。加圧供給を生成するために、注入ライン１２は注入ポンプ１５の上流に接続される。したがって、加圧水は、注入ライン１２を通って主ボアホール１内に注入され、そこから亀裂Ｆを通って周囲ボアホール２に流れて、そこから水は回収ライン２２を経て回収することができる。したがって、天然の亀裂Ｆのいくつかを通過する水流動回路が形成され、これらの亀裂が長期にわたる水注入期間に閉塞または塞がる傾向を試験することができる。閉塞傾向または閉塞自体は、水注入パラメーター、つまりボアホール群および水注入機を通って流れる水の圧力もしくは流量、または物理化学的および生物学的特性の変動により検出することができる。たとえば、水の注入を開始する前に、基準パラメーターおよび特性を読み、水注入段階中または水注入段階後に、これらのパラメーターおよび特性を監視することができる。主ボアホール内の注入圧力の変動（減少）は、閉塞傾向がある亀裂の特性である。周囲ボアホール内に回収された流量の変動（減少）も、閉塞傾向の特性である。回収ラインの圧力の変動（減少）も、閉塞の特性である。さらに、システムを流れる水（水、水中に溶解した気体、細菌分）の物理化学的および生物学的特性の変動も、閉塞傾向を有する亀裂の兆候である。
【００３１】
閉塞現象は、以下のように特定される。
−  地球化学的な源泉（origin：オリジン）の閉塞の場合
・  液相（水および溶解気体）では、取得した試料の結果を分析し、
・  岩石自体では、注入ボアホールおよび回収ボアホールの中心部を過剰に抜き取り（over-coring：オーバー・コアリング）、薄片を顕微鏡で研究し、関連する鉱物種をＸ線回折により識別する。
−  生物学的な源泉の閉塞の場合、注入ボアホールおよび回収ボアホールの周囲に位置する亀裂の試料を取得して堆積物または沈殿物を分析し、円筒形標本を過剰に抜き取る。
【００３２】
閉塞傾向または閉塞自体を明らかにして特定することを可能にする特性要素またはパラメーターは多様であり、多岐にわたる。本明細書に記載する以外の分析および決定方法を使用して、本発明の範囲を逸脱することなく、閉塞を実現して特定することができる。つまり、何らかの試験技術を用いて、本発明の範囲を逸脱することなく、ボアホール群、および関連する本発明の水注入機の閉塞傾向を評価することができる。何らかの特性またはパラメーターを決定することを目的とした種々の試験作業は、本発明には重要ではない。むしろ、本発明は、掘削貯蔵空洞が掘削されたか、または掘削される岩石中の亀裂の閉塞傾向または閉塞自体を明らかにするか、または特定することを可能にする試験手順を適用できる環境の試料をそれぞれ再現することを目的とする。
【００３３】
試験を実施するために試料の取得を容易にするか、または分析結果を評価するために、水注入機は、同時または交互に実施できる複数の手段を提供する。とりわけ、注入ライン１２および回収ライン２２には、それぞれの注入および回収圧力を測定するための圧力計１３、２３を設けることができる。回収ライン２２には、回収される水の流量を測定するための流量計２６を設けることができる。注入ライン１２および回収ライン２２には、加圧水の試料を取得するための手段１４、２４すなわち加圧水取得デバイスを設けることができる。回収ライン２２には、ストップバルブ２５を設けることもできる。
【００３４】
本発明は、亀裂が閉塞する過程を促進するため、閉鎖回路に水を循環させることが可能な水注入機を提供する。つまり、回収ライン２２により回収された水は、注入ライン１２内に再度注入される。
【００３５】
有利な実施態様では、閉鎖回路の水の循環は、沈殿タンク４および曝気槽５により達成される。回収ライン２２により回収される水は沈殿タンク４内に収集され、そこであらゆるサイズの堆積物および粒子を沈殿タンクの底部に堆積させることができる。やはり図２から分かるように、沈殿タンク４の底部は、堆積物４１の層で内側を覆われている。この堆積物は、収集して分析することができる。したがって、岩石の種類およびその閉塞傾向に関する情報を取得することができる。沈殿タンク４には、沈殿タンク４からの水が隣接する曝気槽５内に溢れ出ることを可能にする堰４２を装備している。したがって、曝気槽５には、沈殿タンク４からの水が注入される。この水は、実質的に堆積物を含まない。曝気槽５には、酸素を水中に注入して水の酸素分を濃縮するための手段、例えば、曝気システム５１が設けられる。したがって、曝気槽５内の水の酸素分を濃縮することができる。曝気システムは、回収した水中の炭化水素の痕跡を除去するために、水カーテンの機器内にも存在する。回路を閉鎖するために、注入ライン１２の入口１７は、曝気槽５内に浸漬されるポンプ１５に接続される。有利には、水ブースターライン３２は、曝気槽５に接続されて、先ず閉鎖回路に供給して呼び水し、次にシステムを一定の容積に維持することを可能にする機能を果たす。水ブースターライン３２には、加圧水を取り入れるためのデバイス３４、ストップバルブ３５および流量計３６も設けることができる。
【００３６】
したがって、ポンプ１５により曝気槽５内に取り入れた水は、沈殿タンク４から来て、沈殿タンク４自体は、回収ライン２２の出口を介して水が供給される。ポンプ１５により取り入れられる水は、実質的に堆積物を含まず、酸素が濃縮されており、その結果高酸素分を含む水が亀裂Ｆ内に注入される。酸素は、亀裂における岩石の特定の成分要素を酸化させる。この酸化は、亀裂の閉塞の原因になる可能性がある。
【００３７】
本発明のボアホール群に関連する注入のこうした水注入機によって、岩石Ｍ中の亀裂Ｆを経て水を効果的に流すことができる。水注入段階の開始前に、特定の基準特性を取得または決定した後、水注入段階で監視して、これらの基準特性の変動を検出する必要がある。したがって、基準または初期状態のバジェット（budget）を様々なレベルで確立することが可能である。たとえば、以下を考察することが可能である。
−  地球化学。このバジェットは、コア試料（core sample）に基づいて偏光顕微鏡下で、岩石中の亀裂から取得した試料のＸ線回折ダイヤグラムにより分析するための薄片を作製することによって、確立される。
−  水文地質学。ゼロ・バジェットは、ボアホールの透水性を試験して確立される（注入ボアホールにおけるホーナータイプ（Horner-type）の注入−緩和タイプの試験、および注入ボアホールおよび回収ボアホールとの間の効果の試験）。これらの試験は、注入ボアホールに直接接する周囲にある岩石層特性を正確に決定することを可能にする。
−  物理化学。注入水（ブースターライン）、および岩石中に天然に存在する水を分析して、初期のイオン（特定の希土類元素を含む陰イオンおよび陽イオン）、物理的（ｐＨ、酸化還元電位など）、並びに生物学的（無菌培養における細菌の識別）状態を提供する。
【００３８】
当然、基準特性を決定するために、その他の分野を考察することができる。初期段階が完了した後、水を岩石中に注入する水注入段階を開始することができる。したがって、水を注入主ボアホール内に注入した後、水を回収するための周囲ボアホールを介して回収する。したがって、水は沈殿タンク４内で沈殿し、曝気槽５内で酸化してから、再び主ボアホール内に注入される。この閉鎖回路の循環は、予め決定された特性の検出可能な変動を明らかにするために、数週間から数ヶ月持続することができる。
【００３９】
周期的に、注入または回収流量、および注入または回収圧力を測定することができる。デバイス１４、２４および３４で、試料を取得することも可能である。また、物理化学的または生物学的パラメーターを測定することも可能である。
【００４０】
これらの測定値の変動は、上記のとおり閉塞または少なくとも閉塞傾向を明らかにすることができる。
【００４１】
閉塞現象は、上記のとおり水、および亀裂を囲む岩石の特性の変動を研究して、注入ボアホールおよび回収ボアホールの周囲に存在する細菌を調査することにより特定される。
【００４２】
閉塞傾向が明らかになると、たとえば、注入水の特性を変更して修正することができる。水中のある元素分は増加し、および／または別の元素分は減少する可能性がある。添加剤は、注入水に添加することができる。
【００４３】
ボアホールの集合、および対応する水注入機により、掘削貯蔵空洞が設置される岩石に直接、種々のタイプの閉塞試験手順を実施することが可能である。
【図面の簡単な説明】
【００４４】
【図１】掘削空洞および水カーテンを含む従来の貯蔵場所の垂直断面図である。
【図２】天然の亀裂が貫通して延在する岩石中に穿孔されるボアホールの集合に接続された水注入機の概略図である。
【符号の説明】
【００４５】
１  主ボアホール
２  周囲ボアホール
４  沈殿タンク
５  曝気槽
１１  入口
１２  水注入ライン
１３  圧力計
１４  加圧水取得デバイス
１５  注入ポンプ
１７  入口
２１  入口
２２  水回収ライン
２３  圧力計
２４  加圧水取得デバイス
２５  ストップバルブ
２６  流量計
３２  水ブースターライン
３４  加圧水取得デバイス
３５  ストップバルブ
３６  流量計
４１  堆積物
４２  堰
５１  曝気システム
Ｂ  ボアホール
Ｃ  掘削空洞
Ｅ  水の流れ
Ｆ  亀裂
Ｇ  坑道
Ｌ  液相
Ｍ  岩石
Ｎ  上面
Ｏ  空洞内の水の量
Ｐ  坑井
Ｓ  地表面
Ｖ  蒸気相
【図１】
2005127131.tif 000003
【図２】
2005127131.tif 000004